(57)【要約】【課題】  所定温度に達すると芳香を開始することにより、長時間芳香状態を保持させることができ、さらに加熱状態も良好な芳香カイロを提供する。【解決手段】  芳香カイロ１１は、通気性を有する素材１５によって形成された袋本体１３と、袋本体１３内に設けられ、空気との接触により発熱する発熱組成物１２と、袋本体１３内に設けられた芳香体７とからなり、芳香体７は、吸湿材６と、吸湿材６に含浸後に固化させた芳香剤５とからなる。芳香剤５は、芳香液３を混入した溶解素材２で形成され、所定温度に達すると溶解素材２が溶けて芳香を始める。【選択図】        図５
2010057819.tif 000002
【特許請求の範囲】
【請求項１】
通気性を有する素材によって形成された袋本体と、
袋本体内に設けられ、空気との接触により発熱する発熱組成物とからなるカイロであって、
袋本体内には芳香体が設けられており、
芳香体は、吸湿材と、吸湿材に含浸後に固化させた芳香剤とからなり、
芳香剤は、芳香液を混入した溶解素材で形成され、
所定温度に達すると溶解素材が溶けて芳香を始めることを特徴とする芳香カイロ。
【請求項２】
通気性を有する素材によって形成された袋本体と、
袋本体内に設けられ、空気との接触により発熱する発熱組成物とからなるカイロであって、
袋本体内には２種類の芳香体が設けられており、
一方の芳香体は、吸湿材と、吸湿材に含浸後に固化させた第１の芳香剤とからなり、
第１の芳香剤は、第１の芳香液を混入した第１の溶解素材で形成され、
他方の芳香体は、吸湿材と、吸湿材に含浸後に固化させた第２の芳香剤とからなり、
第２の芳香剤は、第２の芳香液を混入した第２の溶解素材で形成され、
第１の所定温度に達すると第１の溶解素材が溶けて芳香を始め、第２の所定温度に達すると第２の溶解素材が溶けて芳香を始めることを特徴とする芳香カイロ。
【発明の詳細な説明】
【技術分野】
【０００１】
本発明は、空気に触れると加熱し、所定温度に達すると芳香を始める芳香カイロに関する。
【背景技術】
【０００２】
従来の芳香カイロは、通気性を有する素材によって形成された袋本体内に、空気との接触により発熱する発熱組成物と、芳香剤が設けられている。袋本体は、２枚の通気性シートによって形成されている。通気性シートは、不織布と、不織布の一方の面に貼設されたポリエチレンシートとからなる。袋本体は、２枚の通気性シートがポリエチレンシートを内側にして重ね合わされ、２枚の通気性シートの周縁を熱溶着して形成されている。この芳香カイロは、気密性を有する合成樹脂製の外袋内に設けられている。従来の芳香カイロは、外袋を破くことによって取り出すことができ、空気に触れることにより、内部に設けられた発熱組成物が発熱を始める。また、同時に袋本体内に設けられた芳香剤が芳香するので、身体を温めると同時に精神をリラックスさせることができる（例えば、特許文献１）。
【特許文献１】特開平２−２４３８３号公報
【発明の開示】
【発明が解決しようとする課題】
【０００３】
従来の芳香カイロは、外袋の開封と同時に香りを発散するので、芳香時間が短く、リラックス効果を長時間維持することは困難であった。出願人は、芳香時間を長くするため、所定温度に達すると芳香を開始する芳香カイロを開発した。なお、カイロは、鉄粉、活性炭、塩、水、バーミキュライト（蛭石）を発熱組成物としており、概ね６５度〜７０度まで温度が上昇し、４０度を下回るまでの約１６時間程度、保温状態が維持される。
【０００４】
この芳香カイロを開発するに当たり、以下の実験を行った。
（１）実験１
発熱組成物を構成する、鉄粉、活性炭、塩、水、バーミキュライト（蛭石）を、それぞれ所定の割合で配合し攪拌する際に芳香液としてアロマオイルを混合した。攪拌時に１００度近くまで温度が上昇し、アロマオイルの香りの成分が揮発してしまい、香りの成分を保持することができないという問題点が発生した。
（２）実験２
発熱組成物を袋本体内に充填する際に、芳香液としてアロマオイルを一定量添加した。外袋の開封と同時に香りが発散し、所定温度に達すると芳香を開始する芳香カイロにはならなかった。
【０００５】
（３）実験３
芳香液としてアロマオイルを、溶解素材であるパラフィンに混入させた。パラフィンの溶解温度は、４５度〜７０度まで種類によって幅広く存在している。固形パラフィンを熱して液化せしめ、アロマオイルを添加して混合し、冷却することによって、固形の芳香剤を形成する。この固形の芳香剤を小片化して前記発熱組成物と共に袋本体内に充填し、袋本体の周縁を熱溶着して密閉し芳香カイロを製作する。この芳香カイロを非通気性の外袋に入れて外袋を密閉する。
外袋を破って開封し、中から芳香カイロを取り出す。袋本体内の発熱組成物が空気に触れて加熱する。発熱組成物が加熱し、所定温度に達成すると、芳香剤のパラフィンが溶解し、芳香を始める。このように、実験３では、所定温度に達すると芳香を開始する芳香カイロとなったが、以下の問題点が発生した。
ａ．溶けたパラフィンが袋本体の内面に付着する。この際、発熱組成物の鉄粉、活性炭を包含して付着する。
ｂ．溶けたパラフィンが袋本体の通気を妨げるので、発熱に重大な影響を与える。
【０００６】
本願発明は、上記問題点に鑑み案出したものであって、所定温度に達すると芳香を開始することにより、長時間芳香状態を保持させることができ、さらに発熱状態も良好な芳香カイロを提供することを目的とする。
【課題を解決するための手段】
【０００７】
本願請求項１に係る芳香カイロは、上記目的を達成するため、通気性を有する素材によって形成された袋本体と、袋本体内に設けられ、空気との接触により発熱する発熱組成物とからなるカイロであって、袋本体内には芳香体が設けられており、芳香体は、吸湿材と、吸湿材に含浸後に固化させた芳香剤とからなり、芳香剤は、芳香液を混入した溶解素材で形成され、所定温度に達すると溶解素材が溶けて芳香を始めることを特徴とする。
【０００８】
本願請求項２に係る芳香カイロは、上記目的を達成するため、通気性を有する素材によって形成された袋本体と、袋本体内に設けられ、空気との接触により発熱する発熱組成物とからなるカイロであって、袋本体内には２種類の芳香体が設けられており、一方の芳香体は、吸湿材と、吸湿材に含浸後に固化させた第１の芳香剤とからなり、第１の芳香剤は、第１の芳香液を混入した第１の溶解素材で形成され、他方の芳香体は、吸湿材と、吸湿材に含浸後に固化させた第２の芳香剤とからなり、第２の芳香剤は、第２の芳香液を混入した第２の溶解素材で形成され、第１の所定温度に達すると第１の溶解素材が溶けて芳香を始め、第２の所定温度に達すると第２の溶解素材が溶けて芳香を始めることを特徴とする。
【発明の効果】
【０００９】
本願発明に係る芳香カイロは、非通気性を有する外袋内に設けられ、外袋を破くことによって取り出すことができ、空気に触れることにより、内部に設けられた発熱組成物が発熱を始める。発熱組成物が加熱し、所定温度に達成すると、吸湿材に含浸された芳香剤の溶解素材が溶解し、芳香液が揮発して芳香を始める。溶解素材は、溶解しても吸湿材内に取り込まれているので、吸湿材から流出することがなく、袋本体の内面に付着することがない。そのため、溶けた溶解素材が袋本体の通気を妨げることがないので、発熱（保温）状態を良好に保つことができるという効果がある。
【００１０】
本願発明に係る芳香カイロは、上記効果に加え、第１の芳香剤と第２の芳香剤が、時間差で芳香を開始するので、芳香時間を長期化することができ、しかも香りを異ならせることにより、興趣あるものにすることができるという効果がある。
【発明を実施するための最良の形態】
【００１１】
本願発明の実施の形態を図１乃至図１１に基づいて説明する。図１は、芳香カイロを内蔵した外袋の斜視図である。図２は、外袋を破って芳香カイロを取り出している状態の斜視図である。図３は、芳香カイロの斜視図である。図４は、袋本体の通気性シートの斜視図である。図５は、芳香カイロの第１の実施の形態を示す側面断面図である。図６は、芳香カイロの第２の実施の形態を示す側面断面図である。図７は、芳香カイロの第３の実施の形態を示す側面断面図である。図８は、芳香カイロの第４の実施の形態を示す側面断面図である。図９は、芳香カイロの製造工程を示す説明図である。図１０は、芳香体の斜視図である。図１１は、他の芳香カイロの製造工程を示す説明図である。
【００１２】
図５に示すように、芳香カイロ１１は、通気性を有する素材１５によって形成された袋本体１３と、袋本体１３内に設けられ、空気との接触により発熱する発熱組成物１２とからなるカイロである。袋本体１３内には、芳香体７が設けられている。芳香体７は、吸湿材６と、吸湿材６に含浸後に固化させた芳香剤５とからなる。芳香剤５は、芳香液３を混入した溶解素材２で形成され、所定温度に達すると溶解素材２が溶けて芳香を始める。
【００１３】
図１，２に示すように、芳香カイロ１１は、非通気性を有する外袋３１内に設けられ、外袋３１を破くことによって取り出すことができ、空気に触れることにより、内部に設けられた発熱組成物１２が発熱を始める。発熱組成物１２が加熱し、所定温度に達成すると、吸湿材６に含浸された芳香剤５の溶解素材２が溶解し、芳香液３が揮発して芳香を始める。溶解素材２は、溶解しても吸湿材６内に取り込まれているので、吸湿材６から流出することがなく、袋本体１３の内面に付着することがない。そのため、溶けた溶解素材２が袋本体１３の通気を妨げることがないので、発熱・保温状態を良好に保つことができる。
【００１４】
図６に示すように、芳香カイロ２１は、通気性を有する素材１５によって形成された袋本体１３と、袋本体１３内に設けられ、空気との接触により発熱する発熱組成物１２とからなるカイロである。袋本体１３内には、２種類の芳香体７ａ，７ｂが設けられている。一方の芳香体７ａは、吸湿材６と、吸湿材６に含浸後に固化させた第１の芳香剤５ａとからなる。第１の芳香剤５ａは、第１の芳香液３ａを混入した第１の溶解素材２ａで形成されている。他方の芳香体７ｂは、吸湿材６と、吸湿材６に含浸後に固化させた第２の芳香剤５ｂとからなる。第２の芳香剤５ｂは、第２の芳香液３ｂを混入した第２の溶解素材２ｂで形成されている。第１の所定温度Ａに達すると第１の溶解素材２ａが溶けて芳香を始め、第２の所定温度Ｂに達すると第２の溶解素材２ｂが溶けて芳香を始める。
【００１５】
芳香カイロ２１は、芳香カイロ１１と同様の作用効果を有するが、第１の芳香剤５ａと第２の芳香剤５ｂが、時間差で芳香を開始するので、芳香時間を長期化することができ、しかも香りを異ならせることにより、興趣あるものにすることができる。
【００１６】
さらに、芳香カイロ１１について詳細に説明する。まず、芳香カイロ１１の製造工程について説明する。図９（ａ）に示すように、耐熱性容器１に低温度溶解素材２を入れ、耐熱性容器１を加熱する。図９（ｂ）に示すように、低温度溶解素材２が溶解した所で、容器１内に芳香液３を入れ、攪拌して混合し、芳香剤５を形成する。図９（ｃ）に示すように、この液化した芳香剤５の中に、吸湿材６を浸して、吸湿材６に芳香剤５を含浸させる。吸湿材６を耐熱性容器１から取り出し、空冷等により冷却する。吸湿材６には、溶解素材２が固化して付着し、芳香体７を形成する。なお、芳香剤５は固化すると芳香しなくなる。
【００１７】
図５に示すように、前記芳香体７と発熱組成物１２を袋本体１３に入れて芳香カイロ１１は形成される。前記低温度溶解素材２は、特に限定しないが、固形パラフィンであることが望ましい。固形パラフィンは、種類によって、約４５度〜７０度の範囲で溶解（融解）する。芳香液３は、特に限定しないが、アロマオイルであることが望ましい。吸湿材６も特に限定しないが、不織布、紙、布、脱脂綿等の液体を含浸させることができる素材であれば良い。発熱組成物１２は、鉄粉、活性炭、塩、水、バーミキュライト（蛭石）をそれぞれ所定の割合で配合したものでり、空気に接触すると発熱する。
【００１８】
袋本体１３は、通気性を有する素材で形成されている。即ち、袋本体１３は、２枚の通気性シート１５が重ね合わされ、周縁が熱溶着されて形成されている。図４に示すように、通気性シート１５は、不織布１６と、不織布１６の一方の面に貼設されたポリエチレンシート１７とからなる。２枚の通気性シート１５は、ポリエチレンシート１７を内側にして重ね合わされ、周縁を熱溶着して袋本体１３を形成する。なお、周縁全体を熱溶着する前に、前記芳香体７と発熱組成物１２を通気性シート１５，１５の間に配設しておくのは勿論である。
【００１９】
図１，２に示すように、前記した芳香カイロ１１は、非通気性を有するプラスチック素材で形成された外袋３１に収納され、空気に触れないようにされる。外袋３１を破って芳香カイロ１１を取り出すと、芳香カイロ１１内の発熱組成物１２が空気と接触して発熱を開始する。発熱組成物１２が所定温度（溶解素材２の溶解温度）に達成すると、溶解素材２が固体から液化し、芳香液３が揮発して芳香を始める。溶解素材２が液化しても、吸湿材６に含浸している状態なので、溶解素材２が通気性シート１５のポリエチレンシート１７に付着して、通気性即ち発熱性に影響を与えることがない。
【００２０】
上記実施の形態では、芳香体７を厚みのある板状にしたが、図１０に示すように、小片化して、図７に示すように、袋本体１３内に収容しても良い。また、芳香体７の大きさを変えることにより、芳香時間を調節できることは言うまでもない。
【００２１】
次に、芳香カイロ２１について詳細に説明する。この芳香カイロ２１は、２種類の芳香体７ａ，７ｂを有する。まず、芳香カイロ２１の製造工程について説明する。図９（ａ）に示すように、耐熱性容器１に第１の低温度溶解素材２ａを入れ、耐熱性容器１を加熱する。図９（ｂ）に示すように、第１の低温度溶解素材２ａが溶解した所で、容器１内に第１の芳香液３ａを入れ、攪拌して混合し、第１の芳香剤５ａを形成する。図９（ｃ）に示すように、この液化した第１の芳香剤５ａの中に、吸湿材６を浸して、吸湿材６に第１の芳香剤５ａを含浸させる。吸湿材６を耐熱性容器１から取り出し、空冷等により冷却する。吸湿材６には、第１の溶解素材２ａが固化して付着し、芳香体７ａを形成する。
【００２２】
又同様に、図９（ａ）に示すように、耐熱性容器１に第２の低温度溶解素材２ｂを入れ、耐熱性容器１を加熱する。図９（ｂ）に示すように、第２の低温度溶解素材２ｂが溶解した所で、容器１内に第２の芳香液３ｂを入れ、攪拌して混合し、第２の芳香剤５ｂを形成する。図９（ｃ）に示すように、この液化した第２の芳香剤５ｂの中に、吸湿材６を浸して、吸湿材６に第２の芳香剤５ｂを含浸させる。吸湿材６を耐熱性容器１から取り出し、空冷等により冷却する。吸湿材６には、第２の溶解素材２ｂが固化して付着し、芳香体７ｂを形成する。
【００２３】
前記第１，第２の低温度溶解素材２ａ、２ｂは、特に限定しないが、固形パラフィンであることが望ましい。前記第２の低温度溶解素材２ｂは、第１の低温度溶解素材２ａよりも溶解温度が高い素材で形成されている。例えば、第１の低温度溶解素材２ａの溶解温度は４７度であり、第２の低温度溶解素材２ｂの溶解温度は５５度である。第１，第２の芳香液３ａ，３ｂは、特に限定しないが、アロマオイルであることが望ましく、種類は同じでも異なっていても良い。図６に示すように、前記芳香体７ａ，７ｂと発熱組成物１２を袋本体１３に入れて芳香カイロ２１は形成される。
【００２４】
図１，２に示すように、前記した芳香カイロ２１は、非通気性を有するプラスチック素材で形成された外袋３１に収納され、空気に触れないようにされる。外袋３１を破って芳香カイロ２１を取り出すと、芳香カイロ２１内の発熱組成物１２が空気と接触して発熱を開始する。発熱組成物１２が第１の所定温度Ａ（第１の溶解素材２ａの溶解温度４７度）に達成すると、第１の溶解素材２ａが固体から液化し、第１の芳香液３ａが揮発して芳香を始める。発熱組成物１２が第２の所定温度Ｂ（第２の溶解素材２ｂの溶解温度５５度）に達成すると、第２の溶解素材２ｂが固体から液化し、第２の芳香液３ｂが揮発して芳香を始める。第１，２の溶解素材２ａ，２ｂが液化しても、吸湿材６に含浸している状態なので、第１，２の溶解素材２ａ，２ｂが通気性シート１５のポリエチレンシート１７に付着して、通気性即ち発熱性に影響を与えることがない。
【００２５】
第１の芳香体７ａは先に芳香を開始し、所定時間経過後に第２の芳香体７ｂが後から芳香を開始するので、芳香時間を長くすることが可能である。また、第１の芳香液３ａと第２の芳香液３ｂの種類を変えることにより、２種類の香りを楽しむことができ、興趣あるものにすることができる。さらに、第１の芳香液３ａと第２の芳香液３ｂの種類を変えれば、異なる発熱温度により異なる臭いの芳香が開始するので、香りによって芳香カイロ２１の発熱温度を確認することができる。なお、芳香カイロ２１には、２種類の芳香体７ａ、７ｂを収容しているが、さらに溶解温度の異なる複数の芳香体を入れても構わないのは勿論である。上記実施の形態では、芳香体７ａ，７ｂを厚みのある板状にしたが、図１０に示すように、小片化して、図７に示すように、袋本体１３内に収容しても良い。また、芳香体７ａ，７ｂの大きさを変えることにより、芳香時間を調節できることは言うまでもない。
【００２６】
また、図８に示すように、袋本体１３内に、袋本体１３と同じ素材で形成された小袋２２，２３を収容し、一方の袋２２に第１の芳香体７ａの小片を収納し、他方の袋２３に第２の芳香体７ｂの小片を収納しても良い。
【００２７】
上記実施の形態では、図９（ｃ）に示すように、液化した芳香剤５の中に、吸湿材６を浸して、吸湿材６に芳香剤５を含浸させて芳香体７を形成した。しかし、図１０に示すように、不織布等の吸湿材６を最初に小片化し、図１１（ａ）に示すように、小片化した吸湿材６ａを、液化した芳香剤５ａ，５ｂの中に浸して、小片化した吸湿材６ａに芳香剤５ａ，５ｂを含浸させて小片化した芳香体７ａ、７ｂを形成しても良い。また、図１１（ｂ）に示すように、脱脂綿等の吸湿材６を小さく丸め、小さく丸めた吸湿材６ｂを、液化した芳香剤５ａ，５ｂの中に浸して、小さく丸めた吸湿材６ｂに芳香剤５ａ，５ｂを含浸させて小片化した芳香体８ａ、８ｂを形成しても良い。図７に示すように、前記芳香体７ａ，７ｂ，８ａ，８ｂと発熱組成物１２を袋本体１３に入れて芳香カイロ２１は形成される。なお、第１の芳香体７ａ，８ａの第１の溶解素材２ａの溶解温度は、前述したとおり、第２の芳香体７ｂ，８ｂの第２の溶解素材２ｂの溶解温度より低くなっている。
【産業上の利用可能性】
【００２８】
本願発明に係る芳香カイロは、衣服等に取り付けられるカイロとして利用可能である。
【図面の簡単な説明】
【００２９】
【図１】芳香カイロを内蔵した外袋の斜視図である。
【図２】外袋を破って芳香カイロを取り出している状態の斜視図である。
【図３】芳香カイロの斜視図である。
【図４】袋本体の通気性シートの斜視図である。
【図５】芳香カイロの第１の実施の形態を示す側面断面図である。
【図６】芳香カイロの第２の実施の形態を示す側面断面図である。
【図７】芳香カイロの第３の実施の形態を示す側面断面図である。
【図８】芳香カイロの第４の実施の形態を示す側面断面図である。
【図９】芳香カイロの製造工程を示す説明図である。
【図１０】芳香体の斜視図である。
【図１１】他の芳香カイロの製造工程を示す説明図である。
【符号の説明】
【００３０】
Ａ  第１の所定温度
Ｂ  第２の所定温度
１  耐熱性容器
２  低温度溶解素材（固形パラフィン）
２ａ  第１の低温度溶解素材（固形パラフィン）
２ｂ  第２の低温度溶解素材（固形パラフィン）
３  芳香液（アロマオイル）
３ａ  第１の芳香液（アロマオイル）
３ｂ  第２の芳香液（アロマオイル）
５  芳香剤
５ａ  第１の芳香剤
５ｂ  第２の芳香剤
６  吸湿材（不織布、脱脂綿）
６ａ  吸湿剤
６ｂ  吸湿剤
７  芳香体
７ａ  第１の芳香体
７ｂ  第２の芳香体
８ａ  第１の芳香体
８ｂ  第２の芳香体
１１  芳香カイロ
１２  発熱組成物
１３  袋本体
１５  通気性シート
１６  不織布
１７  ポリエチレンシート
２１  芳香カイロ
２２  小袋
２３  小袋
３１  外袋
【図１】
2010057819.tif 000003
【図２】
2010057819.tif 000004
【図３】
2010057819.tif 000005
【図４】
2010057819.tif 000006
【図５】
2010057819.tif 000007
【図６】
2010057819.tif 000008
【図７】
2010057819.tif 000009
【図８】
2010057819.tif 000010
【図９】
2010057819.tif 000011
【図１０】
2010057819.tif 000012
【図１１】
2010057819.tif 000013